(57)【特許請求の範囲】
【請求項１】
ライティングダクトの長手方向と同一の方向に長手方向を有する略直方体形状を有して光源部を点灯または消灯させる点灯装置部と、
前記光源部を保持し、前記点灯装置部の一端部の下側に方向変更自在に配置される灯具部と、
前記点灯装置部における前記灯具部を支持する部分の上面に配置され、前記ライティングダクトに係合される回転プラグ板と、前記回転プラグ板よりも前記ライティングダクト側に配置され、前記ライティングダクトに電気的に接続される回転端子と、前記回転プラグ板および前記回転端子を一体的に所定角度だけ回転させるプラグ操作レバーと、を有するプラグ部と、
前記点灯装置部の上面に配置され、前記ライティングダクトに係合される、所定角度の回転が可能な回転固定板と、前記回転固定板と一体的に回転する、外歯形の第１の凹凸部材と、を有する回転固定部と、
前記点灯装置部の上面に配置され、前記点灯装置部の長手方向に所定距離の範囲でスライド可能であり、前記点灯装置部の一端部とは反対側の他端部の側に設けられる、前記回転固定部を遠隔操作する部分であるフック形状のレバー部と、前記回転固定部における前記外歯形の第１の凹凸部材に噛み合う形状の内歯を有する第２の凹凸部と、を有するスライド板部と、
を備え、
前記プラグ操作レバーの操作によって前記回転プラグ板および前記回転端子が所定角度回転することで、前記回転プラグ板が前記ライティングダクトに係合され、かつ、前記回転端子が前記ライティングダクトに電気的に接続され、
前記スライド板部における前記フック形状のレバー部が操作されて、前記点灯装置部の他端部に接触していない位置から前記他端部に接触する位置に移動すると、前記スライド板部がスライドし、前記第２の凹凸部および前記第１の凹凸部を介して前記回転固定板が回転して前記ライティングダクトに係合される照明器具。
【請求項２】
請求項１に記載の照明器具において、
前記スライド板部における前記フック形状のレバー部が、前記点灯装置部の他端部に接触する位置にまで移動された状態では、前記フック形状のレバーの前記点灯装置部側の側面が、前記点灯装置部の側面に沿って配置される照明器具。
【発明の詳細な説明】
【技術分野】
【０００１】
本発明は、天井面に設置されるライティングダクトに電気的に接続されるスポットライト等に適用される照明器具に関する。
【背景技術】
【０００２】
従来より、光源を収容した灯具部と光源を点灯または消灯させる点灯装置部とを有し、点灯装置部にライティングダクトに係合される固定部とライティングダクトに電気的に接続されて固定されるプラグ部とを備えた照明器具が知られている（例えば、特許文献１参照）。
【先行技術文献】
【特許文献】
【０００３】
【特許文献１】特開２００９−３２４７３号公報（図１、請求項１）
【発明の概要】
【発明が解決しようとする課題】
【０００４】
近年、照明器具は、光源としての発光ダイオードの開発が進んでいる。発光ダイオードを光源とした照明器具において発光ダイオードは照射光に熱を含まないが、それ自体の発熱は多いために従来の白熱灯やＨＩＤランプ等を光源とする場合と比較して、発光ダイオードを放熱するための放熱部材を備えることが必須になっている。
放熱部材には、熱伝導性が高く、比較的安価なアルミニウム等の金属材料が採用されるが、効率のよい放熱を行うためには、放熱部材の容積と表面積とを大きく必要がある。しかし、容積や表面積が大きい放熱部材を用いることにより光源近傍の重量が従来の光源の場合と比較して重くなる。
これにより、照明器具は光源部の重量の増大に対応してライティングダクトへ堅固に固定する必要がある。
【０００５】
前述した特許文献１に記載された照明器具は、固定部がライティングダクトに係合されるとともにプラグ部がライティングダクトに電気的に接続されて固定されることにより、灯具部および点灯装置部をライティングダクトに堅牢に取り付けることができる。
しかし、前述した特許文献１に記載された照明器具は、灯具部が点灯装置部の中央部に配置されており、点灯装置部の一端部にプラグ部が配置され、点灯装置部の他端部に固定部が配置されている。そのため、灯具部の重量が増大した場合、点灯装置部の中央部に大きな荷重がかかり、点灯装置部の端部に配置されているプラグ部および固定部のライティングダクトに対する固定力が小さくなる。これにより、固定部がライティングダクトに対してがたついたり、プラグ部とライティングダクトとが接触不良になったりする。
【０００６】
本発明は、前述した課題を解決するためになされたものであり、その目的は、ライティングダクトに対する固定力を向上できる照明器具を提供することにある。
【課題を解決するための手段】
【０００７】
本発明に係る照明器具は、ライティングダクトの長手方向と同一の方向に長手方向を有する略直方体形状を有して光源部を点灯または消灯させる点灯装置部と、前記光源部を保持し、前記点灯装置部の一端部の下側に方向変更自在に配置される灯具部と、前記点灯装置部における前記灯具部を支持する部分の上面に配置され、前記ライティングダクトに係合される回転プラグ板と、前記回転プラグ板よりも前記ライティングダクト側に配置され、前記ライティングダクトに電気的に接続される回転端子と、前記回転プラグ板および前記回転端子を一体的に所定角度だけ回転させるプラグ操作レバーと、を有するプラグ部と、前記点灯装置部の上面に配置され、前記ライティングダクトに係合される、所定角度の回転が可能な回転固定板と、前記回転固定板と一体的に回転する、外歯形の第１の凹凸部材と、を有する回転固定部と、前記点灯装置部の上面に配置され、前記点灯装置部の長手方向に所定距離の範囲でスライド可能であり、前記点灯装置部の一端部とは反対側の他端部の側に設けられる、前記回転固定部を遠隔操作する部分であるフック形状のレバー部と、前記回転固定部における前記外歯形の第１の凹凸部材に噛み合う形状の内歯を有する第２の凹凸部と、を有するスライド板部と、を備え、前記プラグ操作レバーの操作によって前記回転プラグ板および前記回転端子が所定角度回転することで、前記回転プラグ板が前記ライティングダクトに係合され、かつ、前記回転端子が前記ライティングダクトに電気的に接続され、前記スライド板部における前記フック形状のレバー部が操作されて、前記点灯装置部の他端部に接触していない位置から前記他端部に接触する位置に移動すると、前記スライド板部がスライドし、前記第２の凹凸部および前記第１の凹凸部を介して前記回転固定板が回転して前記ライティングダクトに係合される。
【０００８】
本発明に係る照明器具は、前記スライド板部における前記フック形状のレバー部が、前記点灯装置部の他端部に接触する位置にまで移動された状態では、前記フック形状のレバーの前記点灯装置部側の側面が、前記点灯装置部の側面に沿って配置される。
【発明の効果】
【０００９】
本発明に係る照明器具によれば、ライティングダクトに対する固定力を向上できるという効果を奏する。
【図面の簡単な説明】
【００１０】
【図１】本発明に係る一実施形態の照明器具のライティングダクトへの取り付け時の斜め上方から視た外観斜視図
【図２】図１の照明器具の要部の外観斜視図
【図３】図１の照明器具のライティングダクトへの取り付け前の状態の斜め上方から視た外観斜視図
【図４】図１の照明器具のライティングダクトへの取り付け後の状態の斜め上方から視た外観斜視図
【発明を実施するための形態】
【００１１】
以下、本発明に係る一実施形態の照明器具について図面を参照して説明する。
本発明に係る一実施形態の照明器具１０は、ライティングダクト１の長手方向と同一の方向に長手方向を有する略直方体形状を有して光源部１１を点灯または消灯させる点灯装置部１２と、光源部１１を保持し点灯装置部１２の下部にブラケット１３を介して方向変更自在に配置された灯具部１４と、点灯装置部１２において灯具部１４の真上に配置されてライティングダクト１に電気的に接続されるとともに係合されるプラグ部１５と、点灯装置部１２の中央部の上面に配置されてライティングダクト１に固定される固定部１６と、固定部１６に有しライティングダクト１に有する開口部２に配置される固定操作レバー１７と、固定部１６に有し点灯装置部１２のライティングダクト１側の上面に配置される回転固定部１８とを備えるスポットランプである。
【００１２】
図１に示すように、灯具部１４は、発光ダイオードからなる不図示の複数の光源を有する光源部１１を収容している。そのため、複数の光源が発生する熱を放熱するために大きな容積であって大きな表面積を有する不図示の放熱部材を内蔵している。これに伴い、灯具部１４は、従来の白熱灯やＨＩＤランプ等を光源とする場合と比較して大きな重量を有する。
ライティングダクト１は、例えばアルミニウム等の導電性を有さない金属材料を用いて垂直断面視略コ字形状に形成されて不図示の天井面にねじ止めされる。ライティングダクト１は、天板３の下方側に開口部２を有し、開口部２の対向する位置に配置されて回転固定部（図２参照）１８に有する回転固定板（図２参照）１９およびプラグ部（図２参照）１５に有する回転プラグ板（図２参照）２０が長手方向に挿入される一対の第１溝部４を有する。また、ライティングダクト１は、第１溝部４の上方側の対向する位置に配置されてプラグ部１５に有する第１回転端子（図２参照）２１および第２回転端子（図２参照）２２が挿入される一対の第２溝部５を有する。第２溝部５には、第１電源プレート６および第２電源プレート７が長手方向に沿って対向する位置に取り付けられている。第１電源プレート６および第２電源プレート７は不図示の外部の電源回路に電気的に接続される。
【００１３】
図２に示すように、点灯装置部１２は、箱形状に形成されたケース２３内に不図示の安定器や不図示の電源端子台等を収容しており、ケース２３の一端部側にブラケット１３の上端部を回転自在に支持するとともにプラグ部１５を覆うための筒部２４を有する。プラグ部１５は、プラグ操作レバー２５を有し、このプラグ操作レバー２５の上方側に、ライティングダクト１の開口部２に挿入される幅寸法を有するＩ字形状に形成された回転プラグ板２０と、この回転プラグ板２０の上方側に配置された第１回転端子２１および第２回転端子２２とが支持ピン２６を介して一体に結合されている。プラグ操作レバー２５は筒部２４に形成された回動角度規制用の切欠２７により、その回動角度が９０度に設定されている。
【００１４】
プラグ部１５は、プラグ操作レバー２５が取外位置Ａ１に位置されると、回転プラグ板２０がライティングダクト１の長手方向に配置されるとともに第１回転端子２１および第２回転端子２２がライティングダクト１の長手方向に配置される。これに対して、プラグ部１５は、プラグ操作レバー２５が取外位置Ａ１から取付位置Ａ２まで９０度の角度で床面側から見て時計回転方向に回動されると、回転プラグ板２０がライティングダクト１の短手方向に配置されるとともに第１回転端子２１および第２回転端子２２がライティングダクト１の短手方向に配置される。
【００１５】
固定部１６は、固定操作レバー１７が、点灯装置部１２のケース２３の上面において長手方向に移動自在な板部２８を有する。板部２８は、その他端部にフック形状に形成されたレバー部２９を有するとともに、その他端部寄りにケース２３の長手方向に長さを有する支持用の長孔３０を有し、その一端部寄りにケース２３の長手方向に長さを有する長孔形状で内歯形のレバー側凹凸部３１を有する。長孔３０には点灯装置部１２のケース２３の上面にねじ込まれた支持軸３２が挿入される。支持軸３２は長孔３０を介して固定操作レバー１７の移動を支持する。
【００１６】
回転固定部１８は、回転固定板１９と、この回転固定板１９の下方側に配置された外歯形の回転固定板側凹凸部材３３とが止めねじ３４により一体に結合されており、これら回転固定板１９および回転固定板側凹凸部材３３が点灯装置部１２のケース２３の上面に回転自在に取り付けられている。回転固定板１９は、回転プラグ板２０と同様にライティングダクト１の開口部２に挿入される幅寸法を有するＩ字形状に形成されている。回転固定板側凹凸部材３３は固定操作レバー１７のレバー側凹凸部３１に噛み合わされている。回転固定板１９，回転固定板側凹凸部材３３，止めねじ３４，固定操作レバー１７は非絶縁材料により成形されている。そのため、長期にわたる疲労変形や破損を防止できる。
【００１７】
回転固定部１８は、レバー部２９が取外位置Ｂ１に位置されると、回転固定板１９がライティングダクト１の長手方向に配置される。これに対して、回転固定部１８は、レバー部２９が押圧により取外位置Ｂ１から取付位置Ｂ２まで点灯装置部１２のケース２３の長手方向に移動されると、固定操作レバー１７の点灯装置部１２のケース２３の長手方向への移動に伴い、レバー側凹凸部３１が点灯装置部１２のケース２３の長手方向へ移動される。これにより、レバー側凹凸部３１に対して回転固定板側凹凸部材３３が止めねじ３４を中心として９０度の角度で回動されることにより、回転固定板１９がライティングダクト１の短手方向に配置される。なお、回転固定部１８は、点灯装置部１２の中央部の一か所に代えて、点灯装置部１２の上部に二か所または三か所以上の複数個を設けてもよく、それらの場合も固定操作レバー１７の移動により相対的に回動するようにできる。
【００１８】
次に、照明器具１０における点灯装置部１２のライティングダクト１への取付手順について説明する。ライティングダクト１は天井面に予め設置されている。
図３に示すように、プラグ操作レバー２５が取外位置Ａ１に位置される。これにより、回転プラグ板２０がライティングダクト１の長手方向に配置されるとともに第１回転端子２１および第２回転端子２２がライティングダクト１の長手方向に配置される。同時に、レバー部２９が取外位置Ｂ１に位置される。これにより、回転固定板１９がライティングダクト１の長手方向に配置される。このとき、回転プラグ板２０がライティングダクト１の長手方向に配置されるとともに第１回転端子２１および第２回転端子２２がライティングダクト１の長手方向に配置されるために、回転プラグ板２０，第１回転端子２１，第２回転端子２２のそれぞれは、ライティングダクト１の開口部２に下方から挿入される位置に配置される。また、回転固定板１９がライティングダクト１の長手方向に配置されるために、回転固定板１９は、ライティングダクト１の開口部２に下方から挿入される位置に配置される。
【００１９】
図４に示すように、灯具部１４とブラケット１３と点灯装置部１２とがライティングダクト１の下方から進行されていき、点灯装置部１２上の回転プラグ板２０，第１回転端子２１，第２回転端子２２，回転固定板１９のそれぞれがライティングダクト１の開口部２に下方から挿入されていく。ライティングダクト１の開口部２に挿入された回転プラグ板２０と回転固定板１９とはライティングダクト１の第１溝部４内に配置され、第１回転端子２１と第２回転端子２２とはライティングダクト１の第２溝部５内に配置される。
【００２０】
次に、この状態で、プラグ操作レバー２５が取外位置Ａ１から取付位置Ａ２まで９０度の角度で床面側から見て時計回転方向に回動される。これにより、回転プラグ板２０がライティングダクト１の短手方向に配置されることにより回転プラグ板２０が第１溝部４に係合される。同時に、第１回転端子２１と第２回転端子２２とがライティングダクト１の短手方向に配置されることにより、第１回転端子２１が第２溝部５内の第１電源プレート６に電気的に接続され、第２回転端子２２が第２溝部５内の第２電源プレート７に電気的に接続される。
【００２１】
そして、レバー部２９が取外位置Ｂ１から取付位置Ｂ２まで点灯装置部１２のケース２３の長手方向に押圧により移動される。これにより、固定操作レバー１７が点灯装置部１２のケース２３の長手方向へ移動され、レバー側凹凸部３１が点灯装置部１２のケース２３の長手方向へ移動される。そして、レバー側凹凸部３１に対して回転固定板側凹凸部材３３が止めねじ３４を中心として９０度の角度で回動されることにより回転固定板１９がライティングダクト１の短手方向に配置される。これにより、回転固定板１９がライティングダクト１の第１溝部４に回転プラグ板２０とは独立して係合される。このとき、回転プラグ板２０，第１回転端子２１，第２回転端子２２，回転固定板１９が点灯装置部１２の上部に配置されているために床面側から直視されない。また、レバー部２９が、ライティングダクト１の開口部２内で移動され、取付位置Ｂ２において点灯装置部１２のケース２３の側面に沿って配置されるために床面側から直視されずに隠れて配置される。これらにより、意匠性に優れるものとなる。
【００２２】
従って、この一実施形態の照明器具１０においては、ライティングダクト１に固定される固定部１６に有する固定操作レバー１７が点灯装置部１２の長手方向にスライド操作されることにより回転固定板１９が略９０度回動してライティングダクト１に固定されるとともに、プラグ部１５のプラグ操作レバー２５が９０度の角度で回動されることにより回転プラグ板２０がライティングダクト１に固定される。
これにより、この一実施形態の照明器具１０においては、点灯装置部１２の中央部の上面に配置された回転固定部１８の回転固定板１９がライティングダクト１に固定されるとともに灯具部１４の真上に配置されたプラグ部１５の回転プラグ板２０がライティングダクト１に固定されることによりライティングダクト１に対する固定力を向上できる。
【００２３】
また、この一実施形態の照明器具１０においては、固定操作レバー１７のスライド操作に伴い固定操作レバー１７に有するレバー側凹凸部３１により回転固定部１８に有する回転固定板側凹凸部材３３が止めねじ３４を軸として固定操作レバー１７に相対的に回動する。
これにより、この一実施形態の照明器具１０においては、点灯装置部１２の中央部に配置された回転固定部１８の回転固定板側凹凸部材３３を固定操作レバー１７により簡単に遠隔で操作することができる。加えて、固定操作レバー１７のレバー部２９がライティングダクト１の開口部２内で移動され、取付位置Ｂ２において点灯装置部１２のケース２３の側面に沿って配置されるために床面側から直視されずに隠れて配置されることにより意匠性に優れる。
【００２４】
なお、実施形態において例示したライティングダクト，光源部，ブラケット，灯具部等は例示したものに限定するものではなく適宜変更が可能である。
【符号の説明】
【００２５】
１  ライティングダクト
２  開口部
１０  照明器具
１１  光源部
１２  点灯装置部
１４  灯具部
１５  プラグ部
１６  固定部
１７  固定操作レバー
１８  回転固定部
３１  レバー側凹凸部（凹凸部）
３３  回転固定板側凹凸部材（凹凸部)
【図１】
0005495384.tif 000002
【図２】
0005495384.tif 000003
【図３】
0005495384.tif 000004
【図４】
0005495384.tif 000005